(57)【要約】【課題】各月の用紙ごとに上方へ突出した任意形状のデザインで装飾することができ、しかも毎月のカレンダーをインデックスによって、順次、月ごとに表示することができる卓上カレンダーを提供する。【解決手段】少なくとも前面部と背面部とを有するカバー本体を立てた状態に支持するスタンドをカバー本体の背面部に設け、カバー本体の前面部と背面部との間にカレンダーを表示した所定数のカレンダー用紙を収納すると共に、カバー本体の前面部と背面部と各カレンダー用紙の夫々の端部に形成した穴部に枢支軸を挿通することによって枢支軸の周りに各カレンダー用紙を回動自在にする一方、カバー本体に収納した状態の各カレンダー用紙の上部に突出形成したインデックスに各月の表示を施し、各インデックスを指先で操作して枢支軸の周りに回動した各カレンダー用紙をカバー本体の側方へ露呈して立てた状態に表示するようにした。【選択図】図１
2013022781.tif 000002
【特許請求の範囲】
【請求項１】
少なくとも前面部と背面部とを有するカバー本体を立てた状態に支持するスタンドをカバー本体の背面部に設け、
カバー本体の前面部と背面部との間にカレンダーを表示した所定数のカレンダー用紙を収納すると共に、カバー本体の前面部と背面部と各カレンダー用紙の夫々の端部に形成した穴部に枢支軸を挿通することによって枢支軸の周りに各カレンダー用紙を回動自在にする一方、
カバー本体に収納した状態の各カレンダー用紙の上部に突出形成したインデックスに各月の表示を施し、
各インデックスを指先で操作して枢支軸の周りに回動した各カレンダー用紙をカバー本体の側方へ露呈して立てた状態に表示するようにしたことを特徴とする卓上カレンダー。
【請求項２】
各カレンダー用紙をカバー本体の側方へ露呈して立てた状態にしたとき、各カレンダー用紙の上部に設けたイラストが切り抜きされた状態で突出形成されていることを特徴とする請求項１記載の卓上カレンダー。
【発明の詳細な説明】
【技術分野】
【０００１】
本発明は、卓上に設置して、各月ごとの日付と各月ごとに装飾されたイラストを表示することができる卓上カレンダーに関する。
【背景技術】
【０００２】
従来から、卓上カレンダーは、カレンダーの表示面を表に向けると共に、スタンドで立てた状態で表示することができるように構成されている。また、カレンダーの表示面としては、その年の１２ケ月分のカレンダーを用紙の一面に表示する構成のほか、各月ごとの日付を各用紙の一面ごとに表示する卓上カレンダーも一般的に使用されている。
【０００３】
ところで、上記のように、各月ごとの日付を用紙の一面ごとに表示するカレンダーは、例えば、特許文献１の卓上カレンダーのように、各用紙の上部にスプリング等の綴じ具を設けて冊子状に綴じた構成のものがある。このような構成のカレンダーは、前面に表示された用紙を後方へ回動して捲ることにより、翌月のカレンダーの紙面を表示することが可能とされている。
【０００４】
また、上記の特許文献１の卓上カレンダーでは、スプリング等の綴じ具で綴じた用紙の前面に前方装飾体を設けると共に、用紙の裏面に後方装飾体を設け、これらの前方装飾体と後方装飾体とを連結片で連結し、前面の用紙と裏面の用紙を所定の開度に開くことによってスタンドとして使用する構成としている。
【０００５】
ところが、上記の構成の卓上カレンダーは、各用紙の上端部にスプリング等の綴じ具を設けた構成であるため、各用紙の上端部を直線状に形成する必要がある。このため、各用紙の上部を上方へ突出したイラストで装飾することは不可能であり、デザイン上の自由性が制限されるものであった。
【先行技術文献】
【特許文献】
【０００６】
【特許文献１】特開２０１０−５９３７号公報
【発明の概要】
【発明が解決しようとする課題】
【０００７】
本発明は、上記のような従来の卓上カレンダーを改善することにより、各月の用紙ごとに上方へ突出した任意形状のデザインで装飾することができ、しかも毎月のカレンダーをインデックスによって、順次、月ごとに表示することができる卓上カレンダーを提供することを目的とする。
【０００８】
上記の問題を解決するために、本発明における請求項１の卓上カレンダーは、少なくとも前面部と背面部とを有するカバー本体を立てた状態に支持するスタンドをカバー本体の背面部に設け、カバー本体の前面部と背面部との間にカレンダーを表示した所定数のカレンダー用紙を収納すると共に、カバー本体の前面部と背面部と各カレンダー用紙の夫々の端部に形成した穴部に枢支軸を挿通することによって枢支軸の周りに各カレンダー用紙を回動自在にする一方、カバー本体に収納した状態の各カレンダー用紙の上部に突出形成したインデックスに各月の表示を施し、各インデックスを指先で操作して枢支軸の周りに回動した各カレンダー用紙をカバー本体の側方へ露呈して立てた状態に表示するようにしたことを特徴とする。
【０００９】
また、本発明の請求項２の卓上カレンダーは、請求項１において、各カレンダー用紙をカバー本体の側方へ露呈して立てた状態にしたとき、各カレンダー用紙の上部に設けたイラストが切り抜きされた状態で突出形成されていることを特徴とする。
【発明の効果】
【００１０】
本発明の卓上カレンダーは、上記のように構成されているため、カバー本体の前面部と背面部との間に所定数のカレンダー用紙を収納すると共に、各カレンダー用紙を枢支軸の周りに回動自在に設け、カレンダー用紙に形成したインデックスを指先で操作して回動した各用紙をカバー本体の側方へ露呈して立てた状態に表示することが可能となる。
【００１１】
従って、本発明の構成によれば、すべてのカレンダー用紙をカバー本体の前面部と背面部との間に収納したときは、すべてのカレンダー用紙をカバー本体内に隠蔽した状態で収納することができ、この状態で保管や運搬を行うことが可能となる。
【００１２】
また、所望のカレンダー用紙をインデックスの操作によってカバー本体の側方へ露呈して立てた状態にすることができ、この状態で、各カレンダー用紙の上部に設けたイラストが切り抜きされた状態で上方へ突出形成することが可能となる。
【００１３】
従って、カバー本体の側方へ露呈して立てた各カレンダー用紙のイラストを自由に形成することが可能であり、従来、スプリング等の綴じ具を使用するために規制されていたカレンダー用紙の各月に応じたデザインを上方へ突出した形状に切抜き形成する際の自由なデザイン性の向上に有益なものとなる。
【図面の簡単な説明】
【００１４】
【図１】本発明による実施例の卓上カレンダーに設けられた１月のカレンダー用紙をカレンダー本体の側方へ立てた状態にして、前面部側から見た斜視図である。
【図２】本発明による実施例の卓上カレンダーを背面部側から見た斜視図である。
【図３】本発明による実施例の卓上カレンダーのカバー本体の展開図である。
【図４】（１）〜（１２）は、本発明による実施例の卓上カレンダーの１２ケ月分の月ごとのカレンダー用紙の一例を示す平面図である。
【図５】本発明による実施例の卓上カレンダーの使用状況を示す斜視図であり、（ａ）は各用紙をカバー本体の内部に収納した状態を示し、（ｂ）は１枚の用紙を回動してカバー本体の側部に立てる途中の状態を示し、（ｃ）は１枚の用紙を回動してカバー本体の側方に立てた状態を示す。
【発明を実施するための形態】
【００１５】
以下、本発明の実施例について図面を参照しながら説明する。
【実施例】
【００１６】
本発明による実施例の卓上カレンダー１は、図１又は図２に示すように、カバー本体２の前面部３と背面部４との間に所定数のカレンダー用紙５を収納すると共に、各カレンダー用紙５を枢支軸６の周りに回動自在に設け、カレンダー用紙５に形成したインデックス７を指先で操作して回動したカレンダー用紙５をカバー本体２の側方へ露呈して立てた状態に表示するようにしたものである。
【００１７】
このような本実施例の卓上カレンダー１のカバー本体２は、図３に示すように、長尺の長方形状の厚紙を用いて、互いに同一形状の長方形の前面部３と背面部４と、これらの前面部３と背面部４との間に薄幅の側面部８とを設け、これらの前面部３と背面部４と側面部８との間に折曲線９ａ、９ｂを形成した構成としている。このような構成によって、図１又は図２に示すように、各折曲線９ａ、９ｂで折り曲げることによって横断面コ字形のカバー本体２が形成される。
【００１８】
また、図３に示すカバー本体２の前面部３には、図示のような任意のデザインを施すことが可能である。なお、図３に示すデザインは、本発明における一例であり、他のデザインにすることも可能である。また、図１又は図４に示す各カレンダー用紙５のデザインもまた一例であって、他のデザインにすることも可能である。
【００１９】
また、カバー本体２の背面部４に設けたスタンド１０は、図３に示す１枚の厚紙に形成した構成によって、図２に示す組み立て形状に形成することが可能である。即ち、そのスタンド１０は、左右に所定幅を開けて一対の縦状の折曲線１１ａ、１１ｂを形成すると共に、各折曲線１１ａ、１１ｂから左右に遠ざかる方向へ三角形の二辺をなす切抜き線１２ａ、１２ｂを形成し、各切抜き線１２ａ、１２ｂで切抜き形成したスタンド片１３ａ、１３ｂを各折曲線１１ａ、１１ｂで起立した状態にしたものである。
【００２０】
さらに、これらの左右のスタンド片１３ａ、１３ｂの間に横方向起立片１４を形成し、その一辺に形成した折曲げ線１４ａで折り曲げると共に、横方向起立片１４の左右の端部に形成した凹部１５ａ、１５ｂを各スタンド片１３ａ、１３ｂに形成した凹部１６ａ、１６ｂに嵌合することによって、左右のスタンド片１３ａ、１３ｂを起立した状態に固定することが可能となる。
【００２１】
このような構成により、図２に示すように、左右のスタンド片１３ａ、１３ｂを立てた固定状態にし、カバー本体２をやや斜めに立てた状態に表示することが可能となる。
【００２２】
また、図１、図２又は図３に示すように、このカバー本体２の横断面コ字形の開放側の下方隅部に穴部１９を形成する。そして、図１に示すように、カバー本体２の前面部３と背面部４との間に各月のカレンダー用紙５を収納すると共に、後述するように、各月のカレンダー用紙５の隅部に形成した穴部２０に枢支軸６を挿通し、この枢支軸６をカバー本体２の前面部３と背面部４の穴部１９にも挿通し、枢支軸６の両端に設けられたフランジ６ａでカバー本体２の前面部３と背面部４とを係止する。
【００２３】
一方、上記のようにカバー本体２の内部に収納する所定枚数のカレンダー用紙５は、一枚のカレンダー用紙５に１か月ごとの日付を表示する場合、図４（１）〜（１２）に示すように、全部で１２ケ月分のカレンダー用紙５を形成することとなる。
【００２４】
この場合、本実施例においては、図４に示すように、各カレンダー用紙５の内方に月ごとの日付を表すカレンダー１７を表示する。また、図４の各図において穴部２０が形成された近傍の左方の側辺とは反対側の右方の側辺に「１〜１２」の各月の数字を付したインデックス７を突出形成する。
【００２５】
なお、各用紙に形成されたインデックス７は、図１に示すように、カバー本体２の上部に表示されるインデックス７が、1月から１２月までのインデックス７の形成位置を順次ずらすことによって重ならないようにし、また1月から１２月まで順次表示されるように形成するとよい。
【００２６】
さらに、本実施例において、各カレンダー用紙５の上部には月ごとの季節に応じたイラスト１８を形成することができ、しかも、その形状はイラスト１８に沿って切り抜いた突出形状に形成することが可能である。
【００２７】
上記のように形成された各月のカレンダー用紙５をカバー本体２に取り付けるには、図５（ａ）に示すように、カバー本体２の前面部３と背面部４との間に所定数のカレンダー用紙５を収納すると共に、各カレンダー用紙５を枢支軸６の周りに回動自在に設ける。
【００２８】
このとき、図５（ａ）に示すように、すべてのカレンダー用紙５をカバー本体２の前面部３と背面部４との間に収納した状態では、すべてのカレンダー用紙５をカバー本体２内に隠蔽した状態で収納することができる。
【００２９】
また、図５(ｂ)に示すように、所望のカレンダー用紙５のインデックス７を指先で操作し、回動することによって、図５（ｃ）に示すように、カバー本体２の側方へ露呈して立てた状態にすることができる。この状態で、各カレンダー用紙５の上部に設けたイラスト１８が切り抜きされた形状で上方へ突出したデザインとすることが可能となる。
【産業上の利用可能性】
【００３０】
本発明の卓上カレンダーは、各月の用紙ごとに上方へ突出した任意形状のデザインで装飾することができ、しかも毎月のカレンダーをインデックスによって、順次、月ごとに表示することができる卓上カレンダーとして利用可能である。
【符号の説明】
【００３１】
１  卓上カレンダー
２  カバー本体
３  前面部
４  背面部
５  カレンダー用紙
６  枢支軸
６ａ  フランジ
７  インデックス
８  側面部
９ａ、９ｂ  折曲線
１０  スタンド
１１ａ、１１ｂ  折曲線
１２ａ、１２ｂ  切抜き線
１３ａ、１３ｂ  スタンド片
１４  横方向起立片
１４ａ  折曲げ線
１５ａ、１５ｂ  凹部
１６ａ、１６ｂ  凹部
１７  カレンダー
１８  イラスト
１９  カバー本体の穴部
２０  カレンダー用紙の穴部
【図１】
2013022781.tif 000003
【図２】
2013022781.tif 000004
【図３】
2013022781.tif 000005
【図４】
2013022781.tif 000006
【図５】
2013022781.tif 000007
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
前面部と背面部との間に薄幅の側面部を形成する一対の折曲線を設け、各折曲線で折り曲げることによって横断面コ字形のカバー本体を形成し、
該カバー本体の背面に設けたスタンドは、左右に所定幅を開けて一対の縦状の折曲線を形成すると共に、各折曲線から三角形の二辺をなす切抜き線を形成し、各切抜き線で切抜き形成したスタンド片を各折曲線で起立した状態にし、さらに左右のスタンド片の間に横方向起立片を形成して折り曲げると共に、横方向起立片の左右の端部に形成した凹部を各スタンド片に形成した凹部に嵌合することによって、左右のスタンド片を起立した状態に固定することにより、カバー本体を立てた状態に支持するようにし、
カバー本体の前面部と背面部との間にカレンダーを表示した所定数のカレンダー用紙を収納すると共に、カバー本体の前面部と背面部と各カレンダー用紙の夫々の端部に形成した穴部に枢支軸を挿通することによって枢支軸の周りに各カレンダー用紙を回動自在にする一方、
カバー本体に収納した状態の各カレンダー用紙の上部に突出形成したインデックスに各月の表示を施し、
各インデックスを指先で操作して枢支軸の周りに回動した各カレンダー用紙をカバー本体の側方へ露呈して立てた状態に表示することにより、各カレンダー用紙の上部に設けたイラストが切り抜きされた形状で上方へ突出されるようにしたことを特徴とする卓上カレンダー。
【手続補正２】
【補正対象書類名】明細書
【補正対象項目名】０００８
【補正方法】変更
【補正の内容】
【０００８】
上記の問題を解決するために、本発明における請求項１の卓上カレンダーは、前面部と背面部との間に薄幅の側面部を形成する一対の折曲線を設け、各折曲線で折り曲げることによって横断面コ字形のカバー本体を形成し、該カバー本体の背面に設けたスタンドは、左右に所定幅を開けて一対の縦状の折曲線を形成すると共に、各折曲線から三角形の二辺をなす切抜き線を形成し、各切抜き線で切抜き形成したスタンド片を各折曲線で起立した状態にし、さらに左右のスタンド片の間に横方向起立片を形成して折り曲げると共に、横方向起立片の左右の端部に形成した凹部を各スタンド片に形成した凹部に嵌合することによって、左右のスタンド片を起立した状態に固定することにより、カバー本体を立てた状態に支持するようにし、カバー本体の前面部と背面部との間にカレンダーを表示した所定数のカレンダー用紙を収納すると共に、カバー本体の前面部と背面部と各カレンダー用紙の夫々の端部に形成した穴部に枢支軸を挿通することによって枢支軸の周りに各カレンダー用紙を回動自在にする一方、カバー本体に収納した状態の各カレンダー用紙の上部に突出形成したインデックスに各月の表示を施し、各インデックスを指先で操作して枢支軸の周りに回動した各カレンダー用紙をカバー本体の側方へ露呈して立てた状態に表示することにより、各カレンダー用紙の上部に設けたイラストが切り抜きされた形状で上方へ突出されるようにしたことを特徴とする。
【手続補正３】
【補正対象書類名】明細書
【補正対象項目名】０００９
【補正方法】削除
【補正の内容】